(57)【特許請求の範囲】
【請求項１】
第一シャフト端部及び第二シャフト端部を有する細長いシャフト；
前記第一シャフト端部側に位置する地面係合部材；
前記第二シャフト端部側に位置できる前記シャフト上のゴルフクラブレストであって、
該ゴルフクラブレストは、第一支持部材端部及び第二支持部材端部及び長手軸を有する細長い支持部材を有し、前記第一支持部材端部は前記シャフトに固定でき、前記支持部材は、前記シャフトから実質的に直角に延び、前記第二支持部材端部で、エンドストップにより、前記支持部材から実質的に直角な少なくとも二つの方向に延びる、ゴルフクラブレスト；及び
前記シャフトの周囲にあり、内側開口を有するカラー部であって、一つ又はそれ以上の前記支持部材が係合する、カラー部；
を有し、
前記カラー部は側面に取り付け開口を有し、該取り付け開口内に前記支持部材の前記第一支持部材端部が取り付けられている、
ゴルフクラブ支持具。
【請求項２】
前記支持部材の前記第一支持部材端部は、前記内側開口内に挿入された前記シャフトに係合するための、シャフト係合部を有する、請求項１記載のゴルフクラブ支持具。
【請求項３】
前記支持部材は、実質的に管状であり、単一のゴルフクラブの幅よりも大きな長さを有することにより、複数のクラブの支持を可能にする、請求項１記載のゴルフクラブ支持具。
【請求項４】
前記エンドストップは、同一平面上の複数の方向に延びる環状部材を有する、請求項１記載のゴルフクラブ支持具。
【請求項５】
前記エンドストップは、円盤を有する、請求項４記載のゴルフクラブ支持具。
【請求項６】
二つの支持部材を有する、請求項１記載のゴルフクラブ支持具。
【請求項７】
前記開口は、ネジ部を有し、
前記第一支持部材端部は、前記ネジ部に係合するネジ部を有する、
請求項１記載のゴルフクラブ支持具。
【請求項８】
前記係合部は、前記シャフトに侵入するための尖頭部を有する、請求項１記載のゴルフクラブ支持具。
【請求項９】
前記地面係合部材は、スパイクを有する。請求項１記載のゴルフクラブ支持具。
【請求項１０】
前記地面係合部材は、取り外し可能なスパイクを有する、請求項１記載のゴルフクラブ支持具。
【請求項１１】
前記地面係合部材は、スパイクを有し、
該スパイクは、第一スパイク状端、及び前記スパイクを前記シャフトの第一シャフト端部に固定するための固定部を持つ第二固定端部を有する、請求項１記載のゴルフクラブ支持具。
【請求項１２】
前記地面係合部材は、スパイクを有し、
該スパイクは、ネジ部を有し、
前記細長いシャフトの前記第一シャフト端部は、前記スパイクを受容及び任意の態様及び時期に第一地面係合位置に前記シャフトへ固定するための対応するネジ部を有する、
請求項１記載のゴルフクラブ支持具。
【請求項１３】
前記細長いシャフトは、内部開口を有し、
前記スパイクは、前記スパイク状端が前記開口に挿入された場合に、シャフト上のネジ部と係合するための第二ネジ部を更に有する、
請求項１記載のゴルフクラブ支持具。
【請求項１４】
前記地面係合部材は、曲線的な端部を持つスパイクを有する、請求項１記載のゴルフクラブ支持具。
【請求項１５】
前記地面係合部材は、スパイク、及び該スパイクを取り囲む、引き込み可能な外側のスリーブ部を更に有する、請求項１記載のゴルフクラブ支持具。
【請求項１６】
前記スリーブ部は、バネ部材によってバネ付勢されている、請求項１５に記載のゴルフクラブ支持具。
【請求項１７】
前記スリーブ部は、望まれない限り該スリーブ部の引き込みを阻む安全ロックを有する、請求項１５記載のゴルフクラブ支持具。
【請求項１８】
前記スリーブ部は、望まれない限り該スリーブ部の引き込みを阻む安全ロックを有し、
該安全ロックは、前記シャフトの地面への接触及び地面に対するツイストに際してのみ、前記スリーブの引き込みを許容するツイストロックを有する、請求項１７記載のゴルフクラブ支持具。
【請求項１９】
前記スリーブ部は、望まれない限り該スリーブ部の引き込みを阻む安全ロックを有し、
該安全ロックは、前記細長いシャフトに結合して設けられたピン及び該ピンと係合するための前記スリーブ内のスロットを有し、該スロットは、ほぼ周方向に延びる部分及びほぼ軸方向に延びる部分を有し、
前記スリーブは、該スリーブの故意でない変位を防止するように、前記軸方向に延びる部分から離れ、前記周囲に延びる部分内に入る第一の方向に付勢される、
請求項１５記載のゴルフクラブ支持具。
【請求項２０】
前記スリーブは前記バネ部材によって前記第一の方向へ付勢されている、請求項１５記載のゴルフクラブ支持具。
【請求項２１】
前記スリーブ部は、望まれない限り該スリーブ部の引き込みを阻む安全ロックを有し、
該安全ロックは動作制限部を有する、請求項１５記載のゴルフクラブ支持具。
【請求項２２】
前記スパイクは、該スパイクの長さに沿って一つ又はそれ以上の刻み目を有し、
前記動作制限部は、一つ又はそれ以上のバネ付勢された係合部材を有し、該係合部材は前記刻み目内に向かって付勢されている、
請求項１５記載のゴルフクラブ支持具。
【請求項２３】
前記スパイクは、該スパイクの長さに沿って一つ又はそれ以上の刻み目を有し、
前記動作制限部は、一つ又はそれ以上のバネ付勢された係合部材を有し、該係合部材は前記刻み目内に向かって付勢されており、
前記一つ又はそれ以上の係合部材は、一つ又はそれ以上のバネによって付勢されたボールベアリングを有する、請求項２２記載のゴルフクラブ支持具。
【発明の詳細な説明】
【技術分野】
【０００１】
本発明は、細長い物品を支持する支持具に関し、特に、ただし非排他的にではなく、地面に対して高い位置にゴルフクラブを支持するのに適した支持具に関する。
【背景技術】
【０００２】
ゴルフのラウンドをプレイする際に、ゴルファーは、一般に手押しカート（トロリー）又はバギー車に乗せて一組のクラブを運ぶ。グリーンに接近する毎に、ゴルファーはそれぞれの手押しカート又はバギー車がグリーンに隣接した最適な位置に操縦されることを確かにしなければならない。こうすることで、ひとたびグリーンサイドのプレイを終えると、ゴルファーが次のティー領域に向かって迅速に退出することが可能になる。この順序に従うことで、グリーンサイドのプレイの間に異なるボール／ショット位置が交差することによって、最終的にその領域を退出する前に手押しカート又はバギー車が遅れを生じさせることがなく、ゴルファーによる活気のあるプレイ速度が維持される。その結果として、グリーンの近くではストロークと最終的なパットを終了するために、ゴルファーは頻繁に手押しカート又はバギー車から１本よりも多くのゴルフクラブを抜き取って手で運ばなければならない。一般に、ゴルファーは、次のストロークをプレイするために、複数の選択したゴルフクラブのうちのいずれを使用しなくてはならないかを決めた後に、使用しないゴルフクラブの選択を地面に置く。隣接する地面は、濡れ、砂で覆われ、泥だらけであり、又は深いラフの芝であるかも知れず、それらクラブのグリップが濡れ、汚れてしまう原因となる。グリップの濡れや汚れは、その後のストロークに悪影響を与え、遅らせるかもしれない。さらに、使用されないクラブはしばしば取り残され、遺失される。なぜなら、使用されないクラブは地面に横たえられざるを得ず、ゴルファーが次のストロークに向けて素早く移動する際に明瞭に目に見えないためである。世界中の全てのゴルフコースで期待されかつ奨励されるように、相当な速度でプレイするというゴルファーの取り組みの中で、これはゴルファーを更に心配にさせ、遅れを引き起こす。以上説明した状況において、数本のクラブが地面に横たわる状態では、大切なクラブを遺失するリスクを別にして、全ての年齢のゴルファーは、頻繁にかがんでクラブを回収する過程で腰痛又は膝の痛みを発症または悪化させる恐れがある。
【０００３】
複数の選択されたクラブの一本を用いてショットをプレイするときに、ゴルファーが複数の選択された予備のクラブを高い位置に置くことができる、いくつかの種類の支持具が知られている。そのような器具の一つの例は、米国特許第６５７８７１９号公報に開示されており、大きな重量のベース及び細長いシャフトを有し、細長いシャフトは個別のゴルフクラブがそれに対して静止可能に個々のフック装置を有する。米国特許第５２８５９９０号公報は、細長いシャフトの上端部にゴルフクラブが載置され得るフック又は揺籠の構成が備えられた台を開示している。この構成は、載置されるクラブの位置を確実にするために、台が鉛直方向から傾けられることを要求しているように見える。米国特許第５４１７３３４号公報は、スパイクによって地面内に係合されることができるゴルフクラブのラックを開示するが、これは、クラブを単に支持するよりもむしろ、概してクラブを個々の位置にしっかりと固定して運搬することを意図されている。米国特許第５６３６７５４号公報もまた、クラブを実質的に鉛直な方向でループ内に置くことができる多方向性の、平面的な四分の一ループの支持部を有するゴルフクラブのスタンドを開示する。ループは制限された開口を設けられ、クラブが取り出せるようになっているが、一度に１本より多いクラブが置かれている場合はクラブを取り出すことが困難であるかも知れない。独国特許第１９９００２５２号公報もまた、地面用のスパイク及び長さに沿った二つの位置でクラブをしっかりと固定する手段を有するクラブの運搬具を開示する。その固定機構は運搬の間にクラブを固定することを第一に意図されており、取り出しは容易に達成できない。米国特許公開２００４／０１９８５２７号公報は、ゴルフクラブの支持に使用され、ゴルフクラブが固定的に保持されるタイトクリップを含む、はめ込み式に伸縮可能な棒状の保持具を開示する。取り外しは、容易又は意図されたものでは無いようである。米国特許公開２０１０／０１３０３０１号公報もまた、平面上のベース及び上端部にＶ字状の支持部を有するゴルフクラブのスタンドを開示する。支持部は末端の拘束具を有していない。仏国特許第２１７７１９８号公報は、概して大きな四角い平面状のクラブ台を有し、個々のゴルフクラブ用に設計された特殊な形状の切欠きを有するゴルフクラブ支持具及び地面の補修器具を開示する。切欠きがバッグ内の他のクラブと干渉したり絡んだりしてバッグから取り出すことを難しくするため、大きな平面状のクラブ台は、ゴルフバッグの内部に運び込むことができない。バッグの外側で運搬された場合は、一つの固定点でクリップされているのみであるためにそれはプレイの間に外れて遺失しがちである。または、ゴルフバッグの外側に見えているためにそれはゴルフ場にいる間に盗難にあいやすい。グリーン上のボールマークの補修具としては、底板の下側の放射リブは、ボールマーク以上にグリーン表面への更なる損傷を与える可能性があり、仲間のゴルファーへの過度の心配や遅延の原因となる。米国特許公開２００３／０１０２４１４号公報は、脚及びゴルフクラブレストとして使用され得るほぼ水平な支持部材を有する、折り畳み可能な支持具を開示する。しかし、この支持台は末端の拘束具を全く含まず、容易にゴルフバッグ内部に運びこむことができない。
【先行技術文献】
【特許文献】
【０００４】
【特許文献１】米国特許第６５７８７１９号公報
【特許文献２】米国特許第５２８５９９０号公報
【特許文献３】米国特許第５４１７３３４号公報
【特許文献４】米国特許第５６３６７５４号公報
【特許文献５】独国特許第１９９００２５２号公報
【特許文献６】米国特許公開２００４／０１９８５２７号公報
【特許文献７】米国特許公開２０１０／０１３０３０１号公報
【特許文献８】仏国特許第２１７７１９８号公報
【特許文献９】米国特許公開２００３／０１０２４１４号公報
【発明の概要】
【発明が解決しようとする課題】
【０００５】
上記した複数の支持具は、要求されるようなゴルフクラブ支持の問題に少なくとも部分的な解決を提供するが、それらは使用することが困難であるか又は容易な運搬に役に立たないことが見出された。本発明は、適当にゴルフバッグ内に運び込むことができ、容易に運搬可能であり、所望の方法及び時にてクラブへの簡単かつ迅速なアクセスを可能にする便利な方式で一つ又はそれ以上のゴルフクラブを支持することができるゴルフクラブレストを供給することの課題への単純な解決策を提供することを助ける。
【課題を解決するための手段】
【０００６】
それに応じて、本発明は、第一シャフト端部及び第二シャフト端部を有する細長いシャフト、第一シャフト端部側に位置する地面係合部材、第二シャフト端部側に位置できるシャフト上のゴルフクラブレストを有し、ゴルフクラブレストは、第一支持部材端部及び第二支持部材端部及び長手軸Ｙを有する細長い支持部材を有し、第一支持部材端部はシャフトに固定でき、支持部材はシャフトから実質的に直角に延び、第二支持部材端部で、エンドストップにより、前記部材から実質的に直角な少なくとも二つの方向に延びる、ことを特徴とする、ゴルフクラブ支持具を提供する。
【０００７】
好ましくは、支持部材は、実質的に管状であり、単一のゴルフクラブの幅よりも大きな長さを有しており、それにより複数のクラブを支持することを可能にする。
【０００８】
有利には、エンドストップは、同一平面上の複数の方向に延びる円形部材を有する。
【０００９】
好ましくは、エンドストップは円盤を有する。
【００１０】
有利には、支持具は二つの支持部材を有する。
【００１１】
一つの好ましいアレンジにおいて、支持具は、シャフトの周りに内側開口を有するカラー部を含み、一つ又はそれ以上の支持部材は、カラー部に係合している
好ましくは、カラー部は側面に取り付け開口を有し、取り付け開口内に支持部材の第一支持部材端部が取り付けられている。
【００１２】
有利には、開口はネジ部を有し、第一支持部材端部は開口のネジ部に係合するネジ部を有する。
【００１３】
好ましくは、支持部材の第一支持部材端部は、開口内に挿入されたシャフトに係合するための、シャフト係合部を有する。
【００１４】
有利には、係合部は、前記シャフトに侵入するための尖頭部を有する。
【００１５】
好ましくは、地面係合部材はスパイクを有する。スパイクはまた、取り外すことも可能なスパイクである。
【００１６】
有利には、スパイクは、第一スパイク状端、及びスパイクをシャフトの第一シャフト端部に固定するための固定部を持つ第二固定端部を有する。
一つのアレンジにおいて、スパイクは、ネジ部を有し、前記第一シャフト端部は、スパイクを受容及び任意の態様及び時期に第一地面係合位置にシャフトへ固定するための対応するネジ部を有する。
【００１７】
好ましくは、地面係合部は内部開口を有し、スパイクは、スパイク状端が開口に挿入された場合に、シャフト上のネジ部と係合するための第二ネジ部を更に有する。
【００１８】
いくつかのアレンジにおいて、スパイクは曲線的な端を有する。
【００１９】
一つの代替的なアレンジにおいて、地面係合部材は、スパイク、及びスパイクを取り囲む、引き込み可能な外側のスリーブ部を更に有する
好ましくは、スリーブ部は、バネ部材によって荷重されて、バネ付勢されている。
【００２０】
有利には、スリーブ部は、望まれない限りスリーブ部の引き込みを阻む安全ロックを有する。
【００２１】
安全ロックは、シャフトの地面への接触及び地面に対するツイストに際してのみ、スリーブの引き込みを許容するツイストロックを有してもよい。
【００２２】
一つのアレンジにおいて、安全ロックは、細長いシャフトと関連して取り付けられたピン及び該ピンと係合するためのスリーブ内のスロットを有し、スロットは、ほぼ周囲に延びる部分及びほぼ軸方向に延びる部分を有する。スリーブは、該スリーブの不用意なずれを防止するように、軸方向に延びる部分から離れ、周囲に延びる部分内に入る第一の方向に付勢される。好ましくは、スリーブはバネ部材によって第一の方向へ付勢されている。
【００２３】
有利には、安全ロックは動作制限部を有する。
【００２４】
一つのアレンジにおいて、スパイクは、該スパイクの長さに沿って一つ又はそれ以上の刻み目を有し、動作制限部は、一つ又はそれ以上のバネ付勢された係合部材を有し、該係合部材は刻み目内に向かって付勢されている。
【００２５】
幸便には、一つ又はそれ以上の係合部材は、一つ又はそれ以上のバネによって付勢されたボールベアリングを有する。
【００２６】
以下、本発明は、より詳細について、より具体的に説明される。
【図面の簡単な説明】
【００２７】
【図１】図１は、本発明の一つの態様による支持具の正面図である。
【図２】図２は、図１に示される支持具の側面図である。
【図３】図３は、図２の矢印Ａ方向に取得された部分断面図である。
【図４】図４は、図１乃至３の配置の代替となり得るカラー部の断面図である。
【図５】図５乃至７は、様々な代替的な支持具の配置の平面図である。
【図６】図５乃至７は、様々な代替的な支持具の配置の平面図である。
【図７】図５乃至７は、様々な代替的な支持具の配置の平面図である。
【図８】図８及び９は、取り外し可能及び収容可能なスパイク配置の断面図である。
【図９】図８及び９は、取り外し可能及び収容可能なスパイク配置の断面図である。
【図１０】図１０及び１１は、引き込み可能な安全カラーを有するスパイク配置の断面図である。
【図１１】図１０及び１１は、引き込み可能な安全カラーを有するスパイク配置の断面図である。
【図１２】図１２は、本発明によって受け入れ可能な様々な角度位置のクラブを示す。
【発明を実施するための形態】
【００２８】
全体として各図面を、特に図１乃至図３を参照すると、ゴルフクラブ支持具１０は、第一（下方）シャフト端部１２ａ及び第二（上方）シャフト端部１２ｂを有する細長いシャフト１２、長手軸Ｘ、及び概して１４で示され第一（下方）シャフト端部１２ａ側に位置する地面係合部材を有する。一つ又はそれ以上のゴルフクラブレスト１６は、シャフト１２上の第二（上方）シャフト端部１２ｂ側に備えられ得る。ただし好ましくは、ゴルフクラブレスト１６はハンドル部１８の下方に備えられ得る。ハンドル部１８は、上方端部１２ｂに備えられてもよく、また上方端部自体を形成してもよい。好ましくは、ゴルフクラブレスト１６は、第一支持部材端部２０ａ及び第二支持部材端部２０ｂを持ち、長手軸Ｙに延びる細長い支持部材２０を有する。軸Ｙは、好ましくは軸Ｘに実質的に直角である。支持部材２０は、好ましくは断面が管状であり、断面が円環状でもよいが、他の形状もまた使用され得る。好ましくは、使用者が多数の予備の又は類似のクラブを一緒に置くことができるように、支持部材はどの時点でも複数のゴルフクラブを受け入れるために十分な長さＬを有している。一つ又はそれ以上のゴルフクラブレスト１６の第一支持部材端部２０ａは、例えば本明細書において後に詳細に記述するいくつかの方法の一つによって、シャフト１２に固定されている。一方で、第二支持部材端部２０ｂは、実質的に直角な少なくとも二つの方向へ前記部材２０から延び、それによってゴルフクラブを保持することを補助する水平境界及び鉛直境界を形成するエンドストップ２２を備えている。ゴルフクラブは、支持部材２０に立てかけて置かれることができる。実際には、エンドストップ２２が同一平面上で多方向に延びる円形部材を有する構成が、より容易に異なる角度でゴルフクラブを支持することに適合できるため、好ましいことが見出された。エンドストップ２２は、好ましくは平面状又は円盤状のエンドストップを有し、ネジ２４又は他のそのような器具によって支持部材に固定され得る旋盤加工品（turned  component）として形成されてもよい。上記の支持具１０は単一の支持部材２０を有してもよいが、好ましくは一つよりも多くの支持部材を有する。多数の構成の例は、図１乃至図３及び図６及び図７に示される。これらの各構成は、同じ方法でシャフト１２に固定されることができる。したがって、続く記述は全てのこのような代替的な構成に関係する。支持部材２０のシャフトへの固定は、図１乃至３に最もよく見られるように、シャフト１２自体に特に設けられたシャフトの穴２６内への直接的な固定であってもよく、又は図４及び図５に見られる、シャフト１２の周りに設けられたカラー（collar）部３０を用いた固定であってもよい。図１乃至３を簡単に参照すると、簡潔な構成はシャフト１２に一つ又はそれ以上の穴２６を提供する。穴２６は、一つ又はそれ以上の支持部材２０が挿入されて固定されることができる空間を提供するように、シャフト１２自体を貫通して軸Ｘに対してほぼ直角に延びる。異なる固定方法は、接着剤の使用、締まり嵌めを用いた摩擦係合、及び一つ又はそれ以上の支持部材の第一支持部材端部２０ａに設けられたネジ山３４の使用を含む。図１に示されるように支持部材が���ャフト１２の二つの向かい合う面に延びる場合は、シャフト１２を貫通して延びる単一の支持部材２０を提供してもよい。また、支持部材２０をシャフト１２に対して適切な位置で接着するか、又は支持部材２０自体の中央部に設けられたネジ山３４を用いることで支持部材２０を固定するかのいずれかにしてもよい。実際には、第一の半分２０ｆが穴を通ってネジ山が穴に係合するまで押し込まれ、次いで支持部材は穴の内部に固定されるまで穴にねじ込まれる。この構成は完全に受け入れ可能な取り付け構造を提供するものである一方、シャフト１２を取り囲むカラー３６の使用もまた使用され得ることが見出された。そのような構成は、穴によってシャフト１２を弱体化させることがないという利点を有し、また、いくつかのシャフトのうちの任意の一つについてのレトロフィットデバイスとして使用可能であるという更なる利点を有する。さらに、この構成は、新しいシャフト１２に適用されてもよく、また、この構成を適用して、特定の使用者の望みを満足させるために使用可能な高さを調整してもよい。カラーの構成は図４及び図５に最もよく見られる。図４及び図５から、カラーは内側開口３８を有すること、及び支持部材２０の第一支持部材端部２０ａを受容するように、一つ又はそれ以上の取り付け開口４０がカラー３６の壁４４を通って設けられることが理解されるであろう。支持部材は、取り付け開口４０内に接着されても良い。一方で、使用する際に、支持部材がカラー３６内にねじ込まれて係合し、カラー３６に固定されることができるように、支持部材２０のネジ山３４に対応する取り付け開口内にネジ山４２を設けてもよい。好ましくは、第一支持部材端部２０ａは、シャフト係合部２０ｅを有する。シャフト係合部２０ｅは、ネジ山３４及びネジ山３６が係合する場合に、内側開口３８内に位置するシャフト１２に接触し、シャフト係合部２０ｅが尖っている（尖頭部を形成する）場合には、好ましくはシャフト１２に侵入するように内側開口３８内に突出する。この構成は、支持部材２０の簡単な組み立て及び支持部材２０のシャフト１２への固定を容易にする。一方で、この構成は、望まれる場合はなお、構成が調整されることを許容する。加えて、この構成は、出荷される製品が分解された状態であり、エンドユーザーによるかも知れない、受け取りの場所で組み立てられることを許容する。また、図４に、エンドストップ２２を固定するために使用される可能性があるものとして、上述のネジ２４が示されている。また、図４乃至７から明らかなことは、エンドストップ２２自体の、同一平面上で一つ又はそれ以上の方向Ｐ１乃至Ｐ９に延びる概して平面的な構成である。エンドストップ２２は、支持具１０に過剰な幅を追加することを回避するように、好ましくは比較的薄く、１０ｍｍ以下の厚みＴを有する。加えて、そして好ましくは、この構成は、エンドストップが、支持部材２０から鉛直上方Ｕ、鉛直下方Ｄ及び支持軸Ｘの各側面Ｓ１、Ｓ２の両方に、支持部材２０から離れる多様な方向に延びるものである。そのような構成は、本発明の一つの好ましい構成である、図４乃至７の概して円形で平面状のエンドストップ部によって例示される。他の特有な複数の形状が当業者に提���され得るが、読者は、上記の構成はＵ、Ｄ及びＳ１、Ｓ２の各方向のエンドストップ部を提示することを理解するであろう。図１２の参照により最もよく見られ、理解され、本明細書において詳細に後述するように、この構成は、ゴルフクラブが多種多様な角度θで支持具２０に対して置かれ、エンドストップによって保持されることを可能にする。
【００２９】
取り外し可能なスパイク４８の形態の地面係合部材１４の一つの実施形態を示す、図８及び図９を参照する。地面係合部材は、地面係合スパイク端部５０及び第二固定端部５２を有する。第二固定端５２は、シャフト１２の第一シャフト端部１２ａにおいて、地面係合部材をシャフト１２に固定するための固定部５４を有する。本実施形態において、固定部５４は、第一ネジ部５６を有する。第一ネジ部５６は、シャフト１２の第一シャフト端部１２ａの、ぴったり合わさるネジ部５８に対応する。ネジ部５８は、第一ネジ部５６を受容し、固定する。図８は配備位置を示し、一方で図９は格納位置を示す。図８から、シャフト１２にもまた、しまい込む場合にスパイク部を受容するための内部開口６０が設けられており、内部開口６０は指係合部６２も収容可能であることが理解されるであろう。スパイク端部は、偶発的な損傷の可能性を低減するような鈍いスパイクを含んでもよい。スパイクは地面の中に押し込まれ、スパイクと地面との間の摩擦はたやすく外れてしまうことを防止するのにほぼ十分であるので、スパイク自体が非常に長い必要はない（図８）。明らかに、スパイクが長いほど支持具１０はより安定するが、ほとんどの状況において、最大４インチ（約１０．１６cm）のスパイクは支持具１０を安定させるためにほぼ十分であることが見出された。エンドキャップ６６は、シャフト１２上に設けられてもよく、ネジ部５８を包含してもよく、また、接着剤（図示なし）又は複数のネジ６８によってシャフトに固定されてもよい。図９は、スパイク端５０が地面から取り外され、ネジ部５８からネジが取り外され、そして反対向きにされた後に再びネジ部５８にねじ止めされることを可能にするために十分に開口６０の中に挿入された、格納位置を示す。この目的のために、使用者は指係合部６２と係合することができる。
【００３０】
これから、地面係合部材１４についてのいくつかの更なる選択肢を示す図１０及び図１１を参照する。図１０及び図１１に示される選択肢の両方は、スパイク端部５０の周りの安全スリーブ又は安全シールドを提供する。図１０において、シャフト１２の第一シャフト端部１２ａには、従来の手段によって第一シャフト端部１２ａに固定されたスパイク端部５０ｓが設けられている。シールド７０ａは、スパイク端部５０ａを取り囲み、一端部の地面係合部７２及び他端部のバネ係合部７４を含む。バネ７６は、シャフト１２の周りに設けられ、バネ係合部７４に接触している。この係合は、バネ係合部７４の溝７８内であってもよく、又はバネ係合部７４自体に直接的であってもよい。反発部材８０はシャフト１２上に設けられており、圧縮された場合に、係合して上記のスリーブ７０ａを反発部材８０から離れる方向に付勢するように、その間に前記のバネが延びている。反発部材８０はシャフト１２の一部分であってもよく、又は別個の構成要素であってもよい。別個の構成要素である場合には、反発部材８０は、従来の手段、例えば、複数のネジ８２によって、シャフトに固定されてもよい。この構成におけるスパイク端部５０ｓには、望まれない限りスリーブが戻されることを防止する安全ロック８４が更に設けられている。ロック８４自体は、スパイクの長さに沿って一つ又はそれ以上の刻み目８６を有してもよい。刻み目８６は、刻み目８６に向かって、かつ刻み目８６内に付勢された、複数のバネ付勢係合部材８８と協働する。図１０の実施形態において、付勢手段は、一つ又はそれ以上のバネ９０を有し、係合部材８８は、一つ又はそれ以上のボールベアリングを有する。使用する際に、バネは刻み目の中にボールを付勢して、望まれない限りスリーブ７０ａの軸方向変位に抗する。多数のそのような構成の提供又はバネの強さは、スリーブ７０ａが軸方向変位に対して有する抵抗力に影響すること、及び、抵抗力は、故意ではない変位を回避するのに十分であるように選択されるべきである一方、安全面に悪影響をおこさないようにも選択されるべきであることが理解されるであろう。動きに対する抵抗力を乗り越えるためには、確かな、そして意図的な程度の圧力が要求されるために、そのような構成は、器具の安全性を大きく改善するであろうこと、及び加えられる力はまた、スパイク端部が露出する前にバネ７６に打ち勝たなければならないこともまた理解されるであろう。通常の使用において、使用者は、シャフト１２をほぼ地面に対して垂直な姿勢で地面係合部材７２を地面に接触させ、その後にバネ７６を圧縮して係合部材８８を刻み目８６との相互作用を通じて戻させるように、しっかりと下方向に押す。圧力は、スパイク部が完全に地面（破線で示されている）に接触するまで維持され、その後圧力は開放される。その時、係合部材８８は全て、スパイクの対応する刻み目８６を有さない部分に向かって位置し、したがって、単純にスパイクの表面上に置かれるであろう。スパイクは、部分的には地面の中に推し進められたことによる把持力によって、地面内に保持される。支持具１０の地面からの取り外しは、単純に鉛直方向上向きに引くだけでよく、次いでバネ７６は、スパイク部上でシールド７０ａをスライドさせて戻す。手による補助は、バネ９０が提供する動きに対する如何なる抵抗力に打ち勝つことを助けることができる。
【００３１】
図１１は、安全ロック８４ａの更なる構成を示す。安全ロック８４ａは、シャフト１２に結合して設けられたピン９２及びピン９２との係合のためにシールド７０ｂ内に設けられたスロット９４を有する。スロット自体は、ほぼ周方向に延びる部分９６、ほぼ軸方向に延びる部分９８及び実質的に軸方向に延びる短い長さの任意的な安全スロット１００を有する。シールド７０ｂは、図１１に全体が示される位置に向けて周方向に付勢されている。これは、バネ７６を反発部材８０及びシールド自体の上端部７４のそれぞれに固定することによってなされてもよい。スパイクのシールドされた位置は破線で示され、一方、露出された位置は実線で示されている。バネ７６は、図１１に示されるように、シールド７０ｂを概して下方向に付勢し、それ故にスパイクをシールドする。スパイクを露出するためには、使用者は第一に地面係合部材７２を押して地面に接触させ、地面との間にある程度の結びつきを生じさせ、その後に、シャフト１２を矢印Ｄ１の方向にねじる（ツイストさせる）。この動作は、ピン９２を軸方向部分９８の上端にある位置１０２へ移動させる。その後、図１０を参照して説明した方式でスパイクが地面に侵入し、地面内に保持される場合に、シャフト１２上への押し下げは、ピンが、符号１０４で示されるスパイク露出ピン位置へ軸方向スロット９８内をスライドするにつれてシャフト及びスパイク４８を下方に動かす。支持具１０の地面からの取り外しは、矢印Ｕ２の方向に単純に鉛直方向上向きに引くだけでよく、バネ７６は、スリーブ７０ｂがスパイクを覆う位置へ戻すこと及び図１１において符号９２で示された位置へ戻るようにスリーブ７０ｂを周方向に動かすことの両方の働きをすることができる。安全スロット１００は、第一にスリーブを回転させずに、故意ではなくスパイクを露出させることを防ぐために採用され得ることが理解されるであろう。使用者が単純に地面係合部材７２を対象物又は地面に接触するように置き、次いで第一にスリーブを回転させず下方に押す場合は、ピンは下方に移動して、スロット１００の下部１００Ｌ内に入る。その位置では、回転が阻害される。安全スロット１００が符号１００Ｕで示されるように上方に向かって延長される場合は、その結果バネ７６はまた、ピン９２を安全位置に戻すようにも動作することができることもまた理解されるであろう。この安全位置においても、故意ではないスリーブ７０ｂの回転が防止される。望まれる場合は、スリーブには、下端部に、より確かな地面との係合のための突出部又はピン１０８が設けられてもよい。
【００３２】
図１２から、多くの異なる角度θ１θ２のいずれにおいても複数のクラブ１０６が支持部材２０に対して載置されことができ、支持部材上の複数のクラブの安全又はそれらが取り出される際の容易さに悪影響を及ぼすことがないことが理解されるであろう。実際に、多数のクラブが図６において平面図で示されるように並んで載置されることもできる。複数のクラブが支持部材から落ちることなく収容され得ることは、部分的に多方向に延びるエンドストップによるものであることが理解されるであろう。図６及び図７の複数の構成の間の隙間Ｇは、好ましくは、多数のクラブが容易に挿入及び支持部材の範囲から引き抜き可能であるように選択される。加えて、クラブ置き２０及びエンドストップ２２が、多くの異なる角度のいずれにおいてもクラブが載置されることを可能にするため、支持具１０自体は使用時に垂直である必要はないことが理解されるであろう。
【図１】
0006038931.tif 000002
【図２】
0006038931.tif 000003
【図３】
0006038931.tif 000004
【図４】
0006038931.tif 000005
【図５】
0006038931.tif 000006
【図６】
0006038931.tif 000007
【図７】
0006038931.tif 000008
【図８】
0006038931.tif 000009
【図９】
0006038931.tif 000010
【図１０】
0006038931.tif 000011
【図１１】
0006038931.tif 000012
【図１２】
0006038931.tif 000013